(57)【特許請求の範囲】
【請求項１】
複数の情報源から取得されるコンテンツに含まれる表示データを同時に表示可能な携帯端末において、
表示データであるプル型データを受信する第一の受信手段と、
表示データである放送データを受信する第二の受信手段と、
上記表示データの表示に関するパラメータである輝度又は色彩を表示データ毎に設定する設定手段と、
上記設定手段にて設定された輝度又は色彩に基づいて上記表示データを加工して表示するデータ出力手段とを備え、
上記設定手段は、プル型データの受信の割合の増加に基づき当該プル型データの輝度又は色彩を増加させ、当該プル型データの輝度又は色彩の増加に連動して、放送データの輝度又は色彩を減少させ、
上記データ出力手段は、変更後の輝度又は色彩に基づいて、上記プル型データと上記放送データとを一つの画面に重ねて同時に表示することを特徴とする携帯端末。
【請求項２】
上記プル型データはネットワーク経由のダウンロードデータであり、
上記設定手段は、ダウンロードデータの取得の割合に基づいて、ダウンロードデータの輝度又は色彩を変更する請求項１に記載の携帯端末。
【請求項３】
上記プル型データは電子メールデータであり、
上記設定手段は、電子メールデータの取得の割合に基づいて、電子メールデータの輝度又は色彩を変更する請求項１に記載の携帯端末。
【請求項４】
複数の情報源から取得されるコンテンツに含まれる表示データを同時に表示可能な携帯端末における当該表示データの出力方法において、
表示データであるプル型データを受信する第一の受信ステップと、
表示データである放送データを受信する第二の受信ステップと、
プル型データの受信の割合の増加に基づき当該プル型データの輝度又は色彩を増加させ、当該プル型データの輝度又は色彩の増加に連動して、放送データの輝度又は色彩を減少させる設定ステップと、
変更後の輝度又は色彩に基づいて、上記プル型データと上記放送データとを一つの画面に重ねて同時に表示する表示ステップとを備えることを特徴とする出力方法。
【請求項５】
複数の情報源から取得されるコンテンツに含まれる表示データを同時に表示可能なコンピュータに、
表示データであるプル型データを受信する第一の受信ステップと、
表示データである放送データを受信する第二の受信ステップと、
プル型データの受信の割合の増加に基づき当該プル型データの輝度又は色彩を増加させ、当該プル型データの輝度又は色彩の増加に連動して、放送データの輝度又は色彩を減少させる設定ステップと、
変更後の輝度又は色彩に基づいて、上記プル型データと上記放送データとを一つの画面に重ねて同時に表示する表示ステップとを実行させるプログラム。
【請求項６】
複数の情報源から取得されるコンテンツに含まれる表示データを同時に表示可能なコンピュータに、
表示データであるプル型データを受信する第一の受信ステップと、
表示データである放送データを受信する第二の受信ステップと、
プル型データの受信の割合の増加に基づき当該プル型データの輝度又は色彩を増加させ、当該プル型データの輝度又は色彩の増加に連動して、放送データの輝度又は色彩を減少させる設定ステップと、
変更後の輝度又は色彩に基づいて、上記プル型データと上記放送データとを一つの画面に重ねて同時に表示する表示ステップとを実行させるプログラムを記憶したコンピュータ読み出し可能な記録媒体。
【発明の詳細な説明】
【０００１】
【発明の属する技術分野】
本発明は携帯端末に関し、詳しくは映像データ、音声データ、文字データのうち少なくとも１つを含んで構成されるコンテンツを複数同時に再生する携帯端末、オーバーレイ出力方法、及びそのプログラムに関する。
【０００２】
【従来の技術】
近年、携帯電話に代表される移動可能な携帯端末によるインターネットの利用が増加している。また一方で、番組放送のデジタル化により、データ放送サービスが一般化しつつある。そこで、移動環境にて、番組放送サービスとインターネットの両方を利用できる携帯端末が要望されている。
【０００３】
ところで、このような複数の情報源からのコンテンツを受信する端末では、同時に複数種の再生データ、即ち、例えばコンテンツであるＴＶ映像（動画データ）、データ放送（文字データ）、音声（音声データ）、電子メール（文字データ、静止画データ、動画データ、音声データ）、ホームページ（文字データ、静止画データ、動画データ、音声データ）を再生する場合が発生し、更に同時に複数のコンテンツを再生するといった場合も生じる。しかしながら、携帯端末はその携帯性を重視するために小型化されており上記コンテンツを表示するための表示画面が小さい。このため、携帯端末の表示画面にて、据え置き型ＴＶのように複数のウィンドウを使って複数のコンテンツを表示するのは実用的でない。また、複数のウィンドウを使って複数のコンテンツを表示した場合、多くのコンテンツを参照するためには複雑な表示切り替え操作が必要となる。しかしながら、移動中に複数の表示を切り替えたりすることは非常に困難であると言える。
【０００４】
複雑な表示切り替えなしで複数のコンテンツを参照する方法として、一つの画面に複数のコンテンツ（再生データ）を重ねて表示する、即ち、オーバーレイ表示がある。例えば、ＴＶ放送（映像データ）に文字データをオーバーレイ表示すれば、両方の情報を同時に参照可能になる。従来このような、映像データに文字データをオーバーレイ表示する方法としてＯＳＤ（Ｏｎ  Ｓｃｒｅｅｎ  Ｄｉｓｐｌａｙ）方式が知られている。
【０００５】
しかしながら、映像データに文字データをオーバーレイしただけでは見づらくなってしまうという問題があるため、上記ＯＳＤにおいて、オーバーレイ表示に用いられる各再生データの出力配分についての提案がなされている。
【０００６】
一方で、特開２００１−６００８０に記載の技術では、ユーザが表示装置の輝度やコントラストを調節したときに、当該輝度とコントラストの状態と、周囲の温度や明るさを記憶し、以後、使用状況（温度や明るさ）に応じて輝度とコントラストを自動的に調節可能としている。これにより、使用環境が変化してもユーザにとって見やすい表示状態、即ち見やすい輝度とコントラストを実現できるとしている。又、上記温度や明るさに加えて、表示部（液晶）に個別に与えられるＩＤ（種別情報）を判断し、表示部が修理などにより交換された際には当該表示部の種別情報に基づいて表示状態を変更する旨も記されている。
【０００７】
【発明が解決しようとする課題】
しかしながら、従来のオーバーレイ表示は、表示自体を見やすくする工夫はされているものの、再生データの出力に関する各出力パラメータの配分は固定されており、ユーザの嗜好に合わせて各ユーザが柔軟にオーバーレイ表示配分を変更することができないといった問題がある。
【０００８】
例えば、オーバーレイ出力された情報のうち、どの再生データを主体に視聴するかはユーザの意向や情報の種類等、その時々で変化する。具体的に、電子メールとＴＶ映像及び該ＴＶ映像に対応する音声とをオーバーレイ出力する場面を想定する。ユーザが電子メールを主に参照したい場合、必要以上にＴＶ映像が目立つと、ユーザはＴＶ映像を目障りと感じ、さらにＴＶ音声も耳障りと感じることが容易に予想される。この場合、ユーザはＴＶ映像を判別可能な範囲で薄く表示したいと考えるだろうし、ＴＶ音声を小さくするか、消去したいと考える。
【０００９】
しかし、次の瞬間、ＴＶ映像を参照したいと思った場合、今度はオーバーレイ表示された電子メールが目障りとなったり、ＴＶ音声が小さくて聞こえなかったりする。
【００１０】
このように、どの情報（コンテンツ）を主として見るか、また、どの程度の注意配分で見るかは、ユーザの使用環境等その時々で変わるので、各再生データ間、または各コンテンツ間のオーバーレイ出力配分の設定を固定されるとユーザが情報を再生する際に不都合が生じる場合がある。
【００１１】
これに対して上記特開２００１−６００８０には、輝度とコントラストを使用環境に合わせて自動的に変更する技術が記載されているが、当該技術は各再生データ間、または各コンテンツ間のオーバーレイ出力配分の設定をに変更するものではない。従って、ユーザの視聴の主対象となる再生データ（コンテンツ）と、主対象ではない再生データ（コンテンツ）とのオーバーレイ出力配分を、ユーザが自由に設定することはできないのである。
【００１２】
本発明は、上記従来の事情に基づいて提案されたものであって、ユーザの嗜好に合わせて各ユーザが柔軟に且つ容易に再生データのオーバーレイ出力の配分を変更可能であり、さらに周辺の環境に合わせて自動的にオーバーレイ出力配分を制御する携帯端末、オーバーレイ出力方法、及びそのプログラムを提供することを目的とする。
【００１３】
尚、本発明においては音声データを複数同時に再生する場合も、上記オーバーレイ表示と合わせてオーバーレイ出力と定義する。
【００１４】
【課題を解決するための手段】
本発明は、上記目的を達成するために以下の手段を具備している。すなわち、本発明は、再生データである映像データ、音声データ、文字データのうち少なくとも１つを含んで構成されるコンテンツを複数同時に再生する携帯端末を前提としている。ここで、設定手段は、再生データの出力に関するパラメータである出力パラメータを各再生データ毎に設定し、データ出力制御手段は設定手段にて設定された出力パラメータに基づいて上記各再生データを加工して出力する。
【００１５】
従って、ユーザは再生データ（映像データ、音声データ、文字データ）のオーバーレイ出力配分を、好みに合わせて任意に設定することができる。
【００１６】
また、設定手段が、所定の再生データに関する出力パラメータを変更した場合、当該所定の再生データに対応する再生データに関する出力パラメータも変更する構成がある。
【００１７】
ここで例えば、一方の再生データの出力の増加（変更）に対し、他方の再生データの出力の減少（変更）とした場合、例えば２種類のコンテンツを再生しているとすると、主に見たいコンテンツの出力の増加に応じて、他のコンテンツ（主には見る必要がないコンテンツ）の出力を自動的に下げることができる。
【００１８】
また、一方の再生データの出力の増加（変更）に対し、他方の再生データの出力も増加（変更）とした場合、例えば１つのコンテンツの映像データの出力を増加させた際には同一コンテンツの再生データである音声データの出力を増加させるといったことが可能となる。以上により、オーバーレイ出力配分変更のための効率のよい操作を提供することが可能となる。
【００１９】
さらに、再生データがプル型コンテンツを構成する場合には、設定手段は、コンテンツの取得中には該コンテンツを構成する再生データの出力を減少させるよう出力パラメータを変更する構成がある。
【００２０】
この構成では、ユーザの意識を取得中のコンテンツとは異なるコンテンツに向けることが可能になるため、ユーザの、プル型コンテンツの取得に必要な待ち時間への不快感を軽減することが可能になる。
【００２１】
さらに、プル型コンテンツの受信状況に応じて、該コンテンツを構成する再生データの出力を増加させるよう出力パラメータを変更する構成とした場合には、待ち時間への不快感を軽減するだけでなく、出力を利用してコンテンツの受信状況をユーザに通知することが可能となる。
【００２２】
また、コンテンツの再生時刻を記憶する予約手段と、予約手段に記憶された再生時刻を監視するタイマー手段を備え、設定手段がタイマー手段からの再生時刻の通知を受けて対応する上記所定のコンテンツを構成する再生データの出力を増加させるよう出力パラメータを変更する構成がある。
【００２３】
この構成でも、所定の時刻に応じて出力パラメータを変更することが可能になり、オーバーレイ出力配分変更のための効率のよい操作を提供することが可能となる。
【００２４】
さらに上記設定された出力パラメータを記憶するパラメータ記憶手段を具備し、必要に応じて出力パラメータの上記パラメータ記憶手段への読み書きを行う構成がある。
【００２５】
上記構成では、パラメータ記憶手段に予め各状況に適した出力パラメータを格納し、ユーザが出力パラメータを呼び出すことを可能とすることで、ユーザは再生データに対して、容易に且つ適切な出力パラメータを設定することが出来る。
【００２６】
また、上記映像データに関する出力パラメータは、輝度及び／又は色彩を含む構成では、特定の映像データの輝度を変化させることができるので、ユーザの視聴の優先順位に沿った映像データと文字情報のオーバーレイ表示が可能となる。
【００２７】
また更に、上記設定手段は、放送データデコーダから得られる情報に基づいて出力パラメータを設定する構成や、ネットワークデータデコーダから得られる情報に基づいて出力パラメータを設定する構成がある。
【００２８】
上記構成では、放送送信側の意図に基づきユーザの表示を制御可能とするだけでなく、規定の出力パラメータを放送で一度に大量に配布することが可能となる。
【００２９】
また更に、上記設定手段は、外部記憶媒体に格納される情報に基づいて出力パラメータを設定する構成がある。
【００３０】
上記構成では、ユーザは気に入った出力パラメータを上記外部記憶媒体に記憶し、他の人に渡すことで出力パラメータの授受・配布が可能となる。
【００３１】
また更に、携帯端末がスキャナを備え、上記設定手段は、上記スキャナを介して印刷媒体より読み出される情報に基づいて出力パラメータを設定する構成がある。
【００３２】
上記構成では、例えば印刷物に印刷された出力パラメータを容易に入力することが可能となる。
【００３３】
また更に、携帯端末がＧＰＳを備え、上記設定手段は、上記ＧＰＳより得られる位置情報に基づいて出力パラメータを設定する構成がある。
【００３４】
上記構成では、例えばＧＰＳから受信した位置データと、上記所定の地域の位置データとを比較し、所定の地域の位置データ内にユーザが居ると判断した場合には地域特有の情報の「輝度」パラメータや「色彩」パラメータを変更し、当該地域特有の情報が際立つように表示するといった運用が可能となる。
【００３５】
また更に、携帯端末が光センサーを備え、上記設定手段は、上記光センサーより得られる明度情報に基づいて出力パラメータを設定する構成がある。
【００３６】
上記構成では、光センサーから取得した明暗に関するデータに基づいて「輝度」パラメータや「色彩」パラメータを変更することで、自動的にユーザが認識しやすいオーバーレイ表示を行うことが可能になる。
【００３７】
また更に、上記設定手段は、当該携帯端末の移動速度である速度情報に基づいて出力パラメータを設定する構成がある。
【００３８】
上記構成では、例えば音声データの音量は一定とし、移動速度が高速になるにつれて表示部における映像データや文字データの表示をフェードアウトさせることで、危険なわき見運転を防ぐという運用が可能となる。
【００３９】
尚、本発明は、電気通信回線などを介して個別に流通するプログラムとして提供することができる。この場合、図示しない中央演算処理装置（ＣＰＵ）を含む制御部が、本発明のプログラムにしたがってＣＰＵ以外の各回路と協働して制御動作を実現している。但し、上記プログラム及びＣＰＵを用いて実現される各手段は、専用のハードウェアを用い構成することもできる。また、プログラムは、ＣＤ−ＲＯＭなどのコンピュータ読み取り可能な記録媒体に記録された状態で流通することもある。
【００４０】
【発明の実施の形態】
以下、添付図面を参照して、本発明の実施の形態につき説明し、本発明の理解に供する。尚、以下の実施の形態は、本発明を具体化した一例であって、本発明の技術的範囲を限定する性格のものではない。
【００４１】
ここで、本発明におけるコンテンツとは、再生データ、即ち映像データ、音声データ、文字データのうち少なくとも１つを含んで構成される情報であって、ＴＶ映像、データ放送、音声、電子メール、ホームページ等が該当する。また映像データとは、静止画データ、動画データを含むものとする。
【００４２】
（実施の形態１）
以下に図１、図２、図３、図４、図５を用いて、本発明に係る携帯端末について説明する。尚、図１は、本実施の形態における携帯端末の概略機能ブロック図である。
【００４３】
まず、本実施の形態１における携帯端末の構成について説明する。図５における携帯端末５００は、図１の携帯端末１００における概観の一例を示している。携帯端末５００はデジタル放送（テレビ放送、ラジオ放送）の受信、及び無線ネットワークアクセスのためのアンテナ５０１と、デジタル放送、ネットワークデータを必要に応じて表示するディスプレイ（表示部）５０２と、ユーザからの上下左右の指示を受け付ける十字キー５０３と、情報取得キー５０４と、音声を出力する端子（図示せず）を備えている。図５の例では、該音声を出力する端子はヘッドホン５０５に接続されている。
【００４４】
携帯端末１００は、例えばデジタル放送チューナー１０１や、インターネット等のネットワークを介してデータの送受信を行う送受信手段１０６を備え、アンテナ５０１を介してデジタル放送やインターネット上のホームページ、電子メール等を送受信可能である。但し、必ずしも複数の入力が必要なわけではなく、例えば上記送受信手段１０６のみを備え、当該送受信手段１０６がネットワークを介してデジタル放送と電子メールの双方を受信してもよい。
【００４５】
以下、図１、図２、図３、図５を用いて、具体的に映像データと文字データをオーバーレイ表示する処理について説明する。
【００４６】
ここに、図５に示す映像データ５１０を、列車を示す動画とし、放送データ５２０を当該映像データ５１０が格納される位置を示すＵＲＬ（Ｕｎｉｆｏｒｍ  Ｒｅｓｏｕｒｃｅ  Ｌｏｃａｔｏｒ）の文字列を含む文字データとする。この場合、上記映像データと文字データは同一コンテンツを形成するが、例えば文字データが独立して受信される場合（文字放送）などは、上記映像データと文字データは別コンテンツと定義できる。尚、上記列車の動画は時間とともに更新され、即ち、図５の例ではある時刻でのデータ例及び表示例を示しているに過ぎない。
【００４７】
まず、アンテナ５０１を介してデジタル放送チューナー１０１により多重化データとして受信された映像、音声、文字等を含むコンテンツは、ＴＳ（Ｔｒａｎｓｐｏｒｔ  Ｓｔｒｅａｍ）デコーダ１０２にて各再生データ（映像データ、音声データ、文字データ）に分離される（図２：Ｓ２０１）。
【００４８】
次に、上記分離された各再生データは、それぞれ映像データが映像デコーダ１０４に、音声データが音声デコーダ１０３に、文字データが放送データデコーダ１０５に入力され、各デコーダ１０３〜１０５にて再生可能な形式に変換され、データ出力制御手段１０８に送信される（図２：Ｓ２０２）。
【００４９】
続いて、図３に示すように、データ出力制御手段１０８に送信された各再生データは、音声デコーダからの再生データが音声メモリ３０１にて、映像デコーダ１０４からの再生データが映像メモリ３０２にて、放送デコーダ１０５からの再生データが放送データメモリ３０３にてそれぞれ受信される。
【００５０】
また、上記送受信手段１０６にて受信された再生データは、ネットワークデコーダ１０７にて再生可能な形式に変換され、データ出力制御手段１０８に送信される。ここで、上記送受信手段１０６が受信した再生データに関しては、音声データ、映像データ、文字データ等、様々な形式の再生データが考えられるが、ここでは文字データとして扱うものとする。
【００５１】
携帯端末１００に入力された再生データ（音声データ、映像データ、文字データ、ネットワークデータ）は、データ出力制御手段１０８に送信されると、それぞれ図３に示す音声メモリ３０１、映像メモリ３０２、放送データメモリ３０３、ネットワークデータメモリ３０４に格納され、これらがオーバーレイされて描画メモリ３００に一旦格納される（図２：Ｓ２０３Ｎｏ→Ｓ２０５）。尚、上記再生データは、描画メモリ３００に格納される前段において、出力パラメータを変数群とする関数Ｆ１（Ｘ）、Ｆ２（Ｘ）、Ｆ３（Ｘ）、Ｆ４（Ｘ）により、所定の効果を施されるが詳細は後述する。
【００５２】
上記描画メモリ３００に格納された（表示用）再生データは、表示部１１２（ディスプレイ５０２）に表示される。但し、音声データはオーバーレイされずに音声メモリ３０１から直接出力されるが、例えばネットワークデータに音声データが含まれる場合には、音声データもオーバーレイされて出力される。
【００５３】
尚、上記映像データ５１０及び放送データ５２０が、オーバーレイされ、表示部１１２にて表示された例を表示５０６に示す。
【００５４】
以上が一般的なオーバーレイ出力における処理方法であるが、本発明においては、上記再生データに対して、出力パラメータを独立して設定することを可能としている。以下に、上記出力パラメータを設定する処理の詳細について述べる。
【００５５】
ここに、上記出力パラメータとは、再生データを再生するに際して、当該再生データに対して所定の効果を施す変数群を示す。本実施の形態１においては、上記音声データの出力パラメータに「音量」「音質」等が該当し、映像データ、文字データの出力パラメータには「輝度」「色彩」等が該当する。再生データに所定の効果を加えず入力されたままの状態で表示部１１２に表示する場合、上記各再生データの出力パラメータには図４の初期値４０１に示すように「1.0」が設定される。
【００５６】
上記携帯端末１００を利用するユーザが例えばデジタル放送に注目して表示部１１２を見る場合には、例えば十字キー５０３を用いて、デジタル放送（放送データ４００）に関連する表示の輝度を上げる操作を行う。当該操作は、具体的には例えば上記十字キー５０３の「上」を押す操作等である。上記十字キー５０３の「上」が押下されると、設定手段１０９は、上記映像データの輝度パラメータ４０３を「0.1」上げる。
【００５７】
さらに、上記映像データと同一コンテンツである文字データの輝度パラメータ４０４、及び音声データの音量パラメータ４０５を上記輝度パラメータ４０３に連動して上げてもよい。また更に、放送データ４００以外の再生データ（ここではネットワークデータ）の輝度パラメータ４０２を、映像データの輝度パラメータ４０３を上げる操作に連動して「0.1」下げるようにしてもよい。
【００５８】
以上のように上記設定手段１０９により変更された各出力パラメータは、データ出力制御手段１０８に送信される。
【００５９】
続いて、上記各再生データ、及び各出力パラメータを受信したデータ出力制御手段の処理の詳細について説明する。
【００６０】
データ出力制御手段１０８は、上記設定手段１０９から映像データ、音声データ、文字データ、ネットワークデータのそれぞれ出力パラメータα、β、γ、δを受け取ると、例えば所定の関数Ｆ１（音量、音質）、Ｆ２（輝度、色彩）、Ｆ３（輝度、色彩）、Ｆ４（輝度、色彩）を用いて、各再生データに所定の効果を施す（図２：Ｓ２０３Ｙｅｓ→Ｓ２０４）。即ち、例えば音声メモリ３０１に一旦格納されている音声データに対しては、Ｆ１（α）より導き出される効果を施し、映像メモリ３０２に格納される映像データに対してはＦ２（β）より導き出される効果を施す。
【００６１】
ここで、具体的な例を挙げると、上記Ｆ２（β）は、輝度、色彩に基づいて映像データに所定の効果を施す関数であり、例えば出力パラメータβが（1.9  ,  1.0）の場合には、Ｆ２（β）は、映像メモリ３０２に格納されている映像データをそのまま再生した場合（β＝（1.0  ,  1.0））の輝度よりも明るくなる効果を施す。尚、上記映像データ５１０の輝度を上げ、さらに放送データ５２０の輝度を下げた場合のイメージを図５のイメージ５３０に示す。映像データ（列車）が際立つと共に、放送データ（ＵＲＬ）が目立たなくなることでユーザは映像データを見やすくなる。また、色彩パラメータに例えば「0.0」が入っている場合は当該数値に基づいて、映像データを例えば白黒にしたり、セピア調にしたりする。
【００６２】
また、上記Ｆ１（Ｘ）に出力パラメータα＝（1.9  ,  1.0）が代入されたＦ１（α）を音声メモリ３０１に格納されている再生データに施すと、音声データをそのまま再生した場合（α＝（1.0  ,  1.0））の音量よりも大きくなる。また、音質パラメータに何らかの数値が入っている場合は当該数値に基づいて、音声データの音質を変更する処理を施す。
【００６３】
上記同様、Ｆ３（γ）にて与えられる効果が例えば放送データメモリ３０３に格納される文字データに施され、Ｆ４（δ）にて与えられる効果が例えばネットワークデータメモリ３０４に格納されるネットワークデータに施される。
【００６４】
データ出力制御手段１０８にて所定の効果が施された上記音声データは、スピーカ１１１（ヘッドホン５０５）より出力される。また、所定の効果が施された表示に関するデータ、即ち、ここでは映像データ、文字データ、ネットワークデータが、一旦描画メモリ３００にて合成（即ちオーバーレイ）された後、表示部１１２に出力される（図２：Ｓ２０５→Ｓ２０６）。
【００６５】
以上のように、関数Ｆ１〜Ｆ４の値を決定する入力値である出力パラメータα〜δは十字キー５０３の上下方向を指示することにより設定することができる。従ってユーザは十字キー５０３を上下に操作することにより、ユーザの好みの映像データ、音声データ、文字データ及びネットワークデータのオーバーレイ配分を任意に設定することができる。また、特定の映像データの輝度を変化させることができるので、ユーザの嗜好、即ち視聴の優先順位に沿った映像データと文字情報のオーバーレイ表示も可能となる。
【００６６】
尚、例えば、映像データメモリ３０２に格納される映像データに対する出力パラメータをβ=[βi; i=1,2,・・,n]、放送データメモリ３０３に格納される放送データに対する出力パラメータをγ=[ γi; i=1,2,・・,n]とし、ユーザが直接βやγを変更するようにしてもよい（ここで、iはパラメータの数）。
【００６７】
この場合には、例えばβi＋γi＝１、かつ、０≦ βi≦１、０≦ γi ≦１とし、βi→１とすれば、γi→０となり、即ち、映像データ５１０を目立たせるようにすることで、自動的に放送データ５２０を目立たなくなるようにオーバーレイ出力を変更してもよい。
【００６８】
逆に、βi→０とすれば、γi→１となり、放送データ５２０を目立たせるようにすることで、自動的に映像データ５１０を目立たなくなるようにオーバーレイ出力が変更される。
【００６９】
尚、本発明にかかる携帯端末では、例えば放送される映像、音声、文字データの変調方式、多重化の方式及び、誤り訂正の方式等についてどのような方式を用いてもよく、また、送受信手段１０６を介して送受信されるデータの形式についても同様である。
【００７０】
また更に、上記出力パラメータα、β、γ、δは、本発明の目的とするところの音声出力効果、および画像出力効果が得られる関数を構成する出力パラメータであり、互いに関連づけられているが、独立して設定可能としてもよい。
【００７１】
また、出力パラメータα、β、γ、δは上記２つの出力パラメータに限らず、上記以外の複数のパラメータから構成されていてもよい。
【００７２】
尚、上記出力パラメータの数値は一例であり、どのような値をとってもよいのは言うまでもない。
【００７３】
さらに、上記実施の形態１では、携帯端末５００に対するユーザの操作を、十字キー５０３を用いて行っているが、当該十字キーを用いた操作は本発明に直接関連しない、即ち操作の説明を簡易的に表したものである。従って、各出力パラメータを各々選択する手順についても詳細については省略している。尚、各出力パラメータを選択する方法としては、例えば一旦メニューを表示し、当該メニューをユーザが選択することにより出力パラメータを選択した後、当該出力パラメータを十字キーを用いて変更するといった手順が考えられるが特に限定するものではない。また、以下の実施の形態においても、十字キーを用いた操作について簡潔に示すこととする。
【００７４】
（実施の形態２）
本実施の形態２では、上記実施の形態１に加えて、さらに応用例を用いて発明の理解に供する。
【００７５】
まず始めに、上記映像・文字に関する出力パラメータである「輝度」、「色彩」に加えて、さらに「更新頻度」を設けた実施例を説明する。当該「更新頻度」パラメータは、映像データが動画データである場合に適用することができる。
【００７６】
例えば上記出力パラメータをβ＝（輝度、色彩、更新頻度）とする。「更新頻度」は受信した際の動画データの再生速度を決定するパラメータであり、そのデフォルトの設定値を「１．０」とする。
【００７７】
ここで、上記実施の形態１に示したように、ユーザは十字キー５０３を上下方向に押下することにより上記「更新頻度」パラメータを任意に変更することができる。「更新頻度」パラメータに「0.0」が設定された場合、関数Ｆ２（β）は列車の動画（映像データ５１０）を停止させるように作用させ、「更新頻度」パラメータに「0.5」が設定された場合、関数Ｆ２（β）は列車の動画（映像データ５１０）を通常の半分のスピードで再生させるように作用する。
【００７８】
以上の「更新頻度」パラメータを用いることにより、変化する映像データの画面を停止またはコマ送り表示にすることで、動画データ以外のデータ、即ち放送データやネットワークデータ等の文字データを読みやすくすることが可能になる。また更に、上記同様変化する放送データを停止させることで、映像データを見やすくすることもできる。
【００７９】
この場合、十字キー５０３の「右」を押下することで映像データを停止させたり、十字キー５０３の「左」を押下することで放送データを停止させたりしてもよい。また、停止した映像データは再度十字キー５０３の「右」を押下することで停止を解除可能である。同様に停止した放送データは再度十字キー５０３の「右」を押下することで停止を解除可能である。
【００８０】
図５の例で説明すると、列車の映像データ５１０と"ｗｗｗ.ｔｒａｉｎ.ｃｏｍ"のＵＲＬ文字の放送データ５２０が同時に放送され、ディスプレイ５０２においてオーバーレイ出力されている。列車の映像データ５１０とＵＲＬ文字の放送データ５２０は時間とともに変化しており、ユーザは十字キー５０３を上下方向に操作することで映像データ５１０と放送データ５２０の両方の情報をユーザの注意配分に合わせたオーバーレイ出力配分で同時に参照することが可能である。また、ユーザは十字キー５０３を左右方向に操作することで映像データ５１０と放送データ５２０を任意に静止させることができる。
【００８１】
また、このとき、音声データの出力を、映像データ５１０または放送データ５２０の表示に合わせて音量を大きくしたり、小さくしたり制御することもできるし、映像データ５１０または放送データ５２０の表示とは独立に制御することもできる。
【００８２】
映像データ５１０の表示に合わせる場合、上記説明した映像メモリ３０２に効果を施す関数Ｆ２（β）と、音声メモリ３０１に効果を施す関数Ｆ１（α）を、比例させることにより、映像データ５１０を、より目立たせて表示している間は、映像データ５１０に関連するＴＶ音声も大きくし、放送データ５２０を目立たせて表示している間は、映像データに関連する音声は小さくすることができる。
【００８３】
（実施の形態３）
実施の形態２においては、放送局から放送される映像データ５１０と、当該映像データ５１０と関連して同時に放送される放送データ５２０、即ち同一コンテンツを構成する再生データ間でのオーバーレイ出力の例を示したが、本実施の形態３においては、映像データ５１０にオーバーレイ出力されるデータがネットワーク経由で取得したネットワークデータである場合について説明する。
【００８４】
デジタル放送におけるデータ放送サービスでは図５放送データ５２０で示すような、番組に関連するＵＲＬデータを放送することが可能である。本発明に係る携帯端末１００は、図1に示す送受信手段１０６を備えているので、放送されるＵＲＬデータを取得し、そのＵＲＬが示すＷＷＷ（Ｗｏｒｌｄ  Ｗｉｄｅ  Ｗｅｂ）上のホームページを表示することが可能である。
【００８５】
図５の例では放送データ５２０は"ｗｗｗ．ｔｒａｉｎ．ｃｏｍ"の文字列であるが、ここで、放送データ５２０として、文字列の内容を示すＵＲＬデータが同時に放送されているとする。ユーザは携帯端末５００の情報取得キー５０４を押下することにより、"ｗｗｗ．ｔｒａｉｎ．ｃｏｍ"で示されるホームページデータ６０１を、送受信手段１０６を介して取得し、ネットワークデータデコーダ１０７を介してネットワークデータメモリ３０４に格納する。このネットワークデータメモリ３０４の内容と映像データメモリ３０２の内容は、描画メモリ３００にて合成された後、携帯端末５００のディスプレイ５０２にオーバーレイ出力される。
【００８６】
ここで、ユーザは、先に説明した映像データ５１０と放送データ５２０とのオーバーレイ出力と同様の手段で任意にオーバーレイ出力配分の変更を行うことができる。この場合にも、映像データ５１０またはホームページデータ６０１の表示に合わせて音声データの出力（「音量」パラメータ）を大きくしたり、小さくしたり制御することが可能である。尚、図５の例ではホームページデータ６０１は文字データであるが、映像データ、即ち静止画データや動画データであっても構わない。
【００８７】
上記例では、放送局から放送される映像データ５１０と、ネットワークを介して取得したネットワークデータであるホームページデータ６０１のオーバーレイ出力の例を示したが、上記ホームページデータ６０１を電子メールデータ６０２とすることもできる。
【００８８】
尚、一般にホームページや電子メールを参照する場合、ユーザはかなりの注意をそれらに向ける必要がある。そのため、この場合はオーバーレイ出力をせず、ホームページや電子メールのみを参照することが考えられる、しかしながら、ＴＶ視聴の途中にホームページや電子メールを少しだけ閲覧する場合、ＴＶ視聴に戻るきっかけが必要となる。そこで、映像データを表示せず、音声データのみ独立して出力しておけば、ユーザは音声を頼りに映像データ（テレビ）の視聴に復帰することが可能となる。
【００８９】
上記例では、オーバーレイ出力されるデータの組み合わせとして、映像データ５１０と放送データ５２０、映像データ５１０とホームページデータ６０１、映像データ５１０と電子メールデータ６０２としていたが、放送データ５２０とホームページデータ６０１、放送データ５０と電子メールデータ６０２、ホームページデータ６０１と電子メールデータ６０２の組み合わせや、さらに音声データとの組み合わせも可能である。
【００９０】
また、デジタル放送には番組放送を仮定していたが、ラジオ放送や、インターネット経由の放送とすることも可能である。
【００９１】
以上説明したように、本発明に係る携帯端末１００では、放送された映像データ・音声データと放送データ間や、あるいは放送された映像データ・音声データとネットワークより取得したホームページデータ・電子メールデータ間等、様々なコンテンツ間のオーバーレイ出力配分をユーザが任意に変更することが可能である。
【００９２】
また、音声データの出力を映像データまたはホームページデータ・電子メールデータの表示（出力）に合わせて大きくしたり、小さくしたり制御することもできるし、映像データまたはホームページデータ・電子メールデータの表示とは独立に制御することもできる。
【００９３】
以上により、ユーザは表示能力が限られている携帯端末において、オーバーレイ出力配分を任意に変更して、効果的に番組放送サービスとインターネットサービスを受けることが可能となる。
【００９４】
（実施の形態４）
続いて、図７〜図１０を用いて、再生データの出力パラメータが再生データの取得状況に応じ動的に変更される例を説明する。
【００９５】
例えば、上記端末がインターネット等から取得するホームページや電子メールはプル型コンテンツである。即ちプル型コンテンツとは、上記ユーザが何らかの指示を携帯端末に与えると、携帯端末が自発的に他の端末から取得するコンテンツを言う。又、プル型コンテンツを構成する再生データをプル型データとする。
【００９６】
上記プル型コンテンツを取得する場合、ＴＶ映像などとは異なりユーザが指示を出してからすべてのプル型データを取得し終えるまでに待ち時間画発生する。この待ち時間が長くなればなるほどユーザは無駄な時間をすごす必要があり、不快に感じることが容易に予想できる。
【００９７】
このため本実施の形態４では、上記プル型コンテンツを取得する際には、当該データに関する出力パラメータを変更することにより、ユーザの不快感を軽減するものである。
【００９８】
まず、図９は、本実施の形態４における携帯端末の概略機能ブロック図の一部を示す図である。具体的には、上記実施の形態１におけるネットワークデータデコーダ１０７がブラウザ９０１となっているが、ブラウザはネットワークデータデコーダの一実施形態である。
【００９９】
ここで例を挙げるに際して、上記ブラウザ９０１が送受信手段１０６を介して例えばあるホームページを取得する場合を考え、さらにユーザは例えば当該ホームページとＴＶ放送（スポーツ番組）とをオーバーレイ出力して表示部１１２より閲覧しているものとする。
【０１００】
上記ユーザは主にブラウザ９０１から出力されるホームページのデータを、表示部１１２を介して閲覧しているが、上記ホームページとは異なるコンテンツであるスポーツ番組の表示輝度を下げて、上記ホームページにオーバーレイ出力しているとする。この場合、上記ユーザは主にホームページを閲覧しているが、例えばスポーツ番組でファインプレイ等があった時点では、逆にスポーツ番組の表示輝度を上げ、ホームページの表示輝度を下げることにより上記ユーザはスポーツ番組を視聴するといった利用方法があるのは上述したとおりである。
【０１０１】
ここで、まずユーザが、現在閲覧しているホームページに記されるリンク情報等を例えば表示部１１２を介して選択（タップ）したとする。この場合、当該選択した旨は、上記ブラウザ９０１に伝えられ、当該選択した旨を受けたブラウザ９０１は、上記選択に対応するデータ、例えばリンク先であるホームページのデータを、送受信手段１０６を介して受信しようとする。この際、受信に先立って、当該ブラウザ９０１は、データ出力制御手段１０８に対して、これからホームページのデータを受信する旨を送信する。
【０１０２】
上記“ホームページのデータを受信する旨“を受信したデータ出力制御手段１０８は、上記ブラウザ９０１より入力されていたプル型コンテンツの表示輝度を減少させるよう、出力パラメータを変更する。
【０１０３】
上記データ出力制御手段１０８による出力パラメータの変更と、表示部１１２に表示される各コンテンツ（ホームページとＴＶ放送）との関係を表した図が図７（ａ）である。
【０１０４】
即ち、上記“ホームページのデータを受信する旨“を上記出力制御手段１０８が受信した時刻をＴｓとすると、時刻Ｔｓにはホームページの表示輝度がＴＶ映像の出力より下回っている。これにより、プル型コンテンツの再生データを上記ブラウザ９０１が受信している際には、ホームページよりもＴＶ映像の表示輝度のほうが高く、即ちユーザの意識はホームページからＴＶ映像に移ることになる。
【０１０５】
次に、所定の時刻Ｔｅにて上記ブラウザ９０１がホームページのデータを受信し終わると、ホームページの受信が完了した旨を上記データ出力制御手段１０８に送信する。上記“ホームページの受信が完了した旨”を受信したデータ出力制御手段１０８は、上記時刻Ｔｅにおいて、ホームページの表示輝度を時刻Ｔｓ以前の状態に戻すように出力パラメータを変更する。
【０１０６】
これにより、再び上記ユーザの意識はＴＶ映像からホームページに移ることになる。
【０１０７】
以上のように、プル型コンテンツの取得中には該プル型コンテンツに対応する再生データの出力を減少させるように出力パラメータを変更することで、ユーザの意識を取得中のコンテンツとは異なるコンテンツに向けることが可能になる。従って、ユーザの、プル型コンテンツの取得に必要な待ち時間への不快感を軽減することが可能になる。
【０１０８】
尚、以上の説明では、ホームページの表示輝度は下げるもののＴＶ映像の表示輝度は変更していなかったが、例えば図７（ｂ）に示すようにホームページの表示輝度を下げるとともにＴＶ映像の表示輝度を上げるように出力パラメータを変更してもよい。これによりより一層、ユーザの意識をＴＶ映像に向けることも可能になる。
【０１０９】
以上に述べた例の応用として、以下のように出力をしてもよい。
【０１１０】
即ち、例えば、ユーザが表示部１１２を選択することで、ブラウザ９０１に対してプル型コンテンツの取得を指示すると、ブラウザ９０１は時刻Ｔｓに“ホームページのデータを受信する旨“及び現在の受信の進捗状況（この時点では０％）をデータ出力制御手段に送信する（図１０：Ｓ１００１→Ｓ１００２）。上記データ出力制御手段１０８は、上記“ホームページのデータを受信する旨“及び現在の受信の進捗状況を受けて、出力パラメータを変更することで、ホームページの出力を減少させる（図１０：Ｓ１００３）。
【０１１１】
上記ＴＶ映像とホームページの出力の関係を示した図が図８である。
【０１１２】
即ち、ホームページの出力は当初出力８０１であったのが、時刻Ｔｓにおいて出力８０２に下がっているのがわかる。尚、上記出力８０２にて示される出力を０％とし、上記出力８０１にて示される出力を１００％とする。
【０１１３】
次に、上記ブラウザ９０１は、ホームページの受信の状況を逐次データ出力制御手段１０８に送信するものとする。例えば、時刻Ｔ１において、ホームページの受信が２５％完了した場合、その旨がデータ出力手段１０８に送信され、データ出力制御手段１０８はホームページの出力を２５％上げるように出力パラメータを変更し、表示部に出力する（図１０：Ｓ１００４→Ｓ１００５）。
【０１１４】
上記同様、時刻Ｔ２にて受信が５０％完了した場合には時刻Ｔ２にてホームページの出力を５０％とし、時刻Ｔ３にて受信が７５％完了した場合には時刻Ｔ３にてホームページの出力を７５％とする（図１０：Ｓ１００６→Ｓ１００９）。
【０１１５】
最後に、時刻Ｔｅにて受信が１００％完了した場合、時刻Ｔｅにてホームページの出力が１００％、即ち出力８０１となる（図１０：Ｓ１０１０→Ｓ１０１１）。
【０１１６】
以上のように、プル型コンテンツの取得中には該プル型コンテンツの受信状況（取得状況）に応じて、上記プル型コンテンツを構成する再生データの出力を増加させるように出力パラメータを変更することで、ユーザの待ち時間への不快感を軽減するだけでなく、出力を利用してコンテンツの受信状況をユーザに通知することが可能となる。
【０１１７】
尚、上記プル型コンテンツがホームページの例では受信したデータ量で出力を変更しているが、例えば電子メールの場合、受信開始時の総未受信メール数に対する受信済みメール数を出力に反映させてもよい。
【０１１８】
（実施の形態５）
続いて、図１１〜図１３を用いて、再生データの出力パラメータが状況に応じ動的に変更される別の例を説明する。
【０１１９】
まず、図１２は、本実施の形態５における携帯端末の概略機能ブロック図の一部を示す図である。具体的には、上記実施の形態１における携帯端末１００の構成に加えて、予約手段１２０１とタイマー手段１２０２を備える。
【０１２０】
ここで例を挙げるに際して、予約手段１２０１には、ユーザがあらかじめ視聴するＴＶ番組の開始時刻、予約チャンネル、終了時刻が記憶されているものとする。尚、記憶のための設定手順については、特に本発明と関係しないために詳細は省略する。
【０１２１】
ユーザは、上記実施の形態４と同様、主にブラウザ９０１から出力されるホームページを、表示部１１２を介して閲覧しているが、上記ホームページとは異なるコンテンツであるＴＶ映像の表示輝度を下げて、上記ホームページにオーバーレイ出力している。
【０１２２】
ここで、まず、上記タイマー手段１２０２は、上記予約手段１２０１に問い合わせ（ポーリング）を行う（図１３：Ｓ１３０１）。この際、上記ポーリングを受けた予約手段１２０１は、設定されているＴＶ番組の開始時刻でなければ、その旨をタイマー手段１２０２に返信する（図１３：Ｓ１３０２）
ここで、ポーリングが時刻Ｔｐにて行われ、これに対して設定されているＴＶ番組の開始時刻がある場合、上記予約手段１２０１は、その旨、及び予約チャンネルをタイマー手段１２０２に送信する（図１３：Ｓ１３０３→Ｓ１３０４）。
【０１２３】
上記タイマー手段１２０２が上記開始時刻である旨を受信すると、データ出力制御手段１０８に対して開始時刻である旨、及び予約チャンネルを送信する（図１３：Ｓ１３０５）。
【０１２４】
上記開始時刻である旨、及び予約チャンネルを受信すると、上記データ出力制御手段１０８は、例えば現在表示部１１２にて表示されている予約チャンネルのＴＶ映像の表示輝度を増加させるように、当該ＴＶ映像を構成する再生データの出力パラメータを変更する。また、上記データ出力制御手段１０８は、変更された当該出力パラメータに基づいて再生データを加工して表示部１１２に出力する（図１３：Ｓ１３０６）。
【０１２５】
上記データ出力制御手段１０８による出力パラメータの変更と、表示部１１２に表示される各コンテンツ（ホームページとＴＶ映像）との関係を表した図が図１１である。
【０１２６】
即ち、上記開始時刻Ｔｐにて、ＴＶ映像の表示輝度が増加しているのがわかる。これに対して、例えば上記ＴＶ映像（再生データ）の出力パラメータの変更に関連して、ホームページの出力パラメータを変更して、当該ホームページの表示輝度を減少させてもよい。これにより、上記ユーザの意識はホームページからＴＶ映像に移ることになる。
【０１２７】
続いて、上記タイマー手段１２０２が上記予約手段１２０１に問い合わせを行い、該予約手段１２０１は、あらかじめ設定されている上記終了時刻を判定する（図１３：Ｓ１３０７）。
【０１２８】
ここで、上記終了時刻ではない場合、その旨をタイマー手段１２０２に通知する（図１３：Ｓ１３０７）。
【０１２９】
尚、上記終了時刻である場合、その旨をタイマー手段１２０２に通知し、当該通知を受けたタイマー手段１２０２は、その旨を上記データ出力制御手段１０８に通知する（図１３：Ｓ１３０９→Ｓ１３１０）。
【０１３０】
上記終了時刻である旨の通知を受けたデータ出力手段１０８は、例えばＴＶ映像の表示輝度、及びホームページの表示輝度を上記時刻Ｔｐの状態と同じになるように出力パラメータをそれぞれ変更する。
【０１３１】
また、上記データ出力制御手段１０８は、変更された当該出力パラメータに基づいて再生データを加工して表示部１１２に出力する（図１３：Ｓ１３１１）。これにより、再び上記ユーザの意識はＴＶ映像からホームページに移ることになる。
【０１３２】
以上のように、タイマー手段、及び予約手段を設けることで、所定の時刻に応じて出力パラメータを変更することが可能になる。これにより、ユーザの利便性を高めることが可能になる。
【０１３３】
（実施の形態６）
続いて、実施の形態６において、上記ユーザが設定した出力パラメータを容易に呼び出す処理について説明する。
【０１３４】
本実施の形態６においては、携帯端末１００は、さらにパラメータ記憶手段１１０を備え、当該パラメータ記憶手段１１０には、予め様々な組み合わせの出力パラメータが格納されている。
【０１３５】
図４において、「設定名称」４０７テーブルには、当該設定がどのような場合に有効である設定かがユーザにわかるような名称が記憶されており、具体的には、「初期値」「ＴＶ」「電子メール」「屋内」「屋外」等である。
【０１３６】
まず、携帯端末１００では、ユーザの所定の操作により上記設定名称４０７から希望する設定項目、例えば「ＴＶ」を選択することが可能である。具体的には、メニューボタン（図示せず）を押下することで、表示部１１２に「設定変更メニュー」等を表示させ、十字キー５０３を用いて希望する設定名称を選択する。
【０１３７】
ユーザが目的とする設定名称を選択すると、設定手段１０９は当該設定名称に対応する設定、即ち音声データ、映像データ、文字データ、ネットワークデータそれぞれの出力パラメータを読み出す。続いて、上記設定手段１０９は、読み出した出力パラメータをデータ出力制御手段１０８に送信する。
【０１３８】
具体的には、例えばユーザが「電子メール」を選択した場合には、デジタル放送（放送データ４００）に関連する出力パラメータの輝度を低めに設定していると共に、ネットワークデータに関連する出力パラメータの輝度を高めに設定している出力パラメータ４０６が設定手段１０９に読み出される。
【０１３９】
以後は、上記実施の形態１にて説明した処理と同様に、上記出力パラメータが各再生データに所定の効果を施した後、再生データがオーバーレイ出力される。
【０１４０】
以上のように、予め各状況に適した出力パラメータを格納するパラメータ記憶手段を設け、ユーザが出力パラメータを呼び出すことを可能とすることで、ユーザは再生データに対して、容易に且つ適切な出力パラメータを設定することが出来る。
【０１４１】
尚、上記呼び出した出力パラメータをユーザが自由に変更可能とすることで、ユーザは自分好みに出力パラメータをカスタマイズし、オーバーレイ出力を設定できる。また更に、設定手段１０９が、上記カスタマイズした出力パラメータをパラメータ記憶手段１１０に記憶可能とすることで、ユーザは適宜好みの出力パラメータを設定可能となる。
【０１４２】
（実施の形態７）
上記各実施の形態においては、出力パラメータの変更はユーザにより決定されていた。しかしながら、出力パラメータの決定はユーザによる入力に限定する必要は無いため、以下に他の出力パラメータの入力方法を記述する。
【０１４３】
まず、放送デコーダ１０５からの出力パラメータの入力が考えられる。
【０１４４】
上記放送デコーダから出力パラメータを入力可能とすることで、放送を送信する立場からの各出力パラメータの設定が可能になる。映像データの輝度を下げて表示し、更には音声データの出力も下げている場合、例えば地震等の天災が発生した際の津波警報や避難場所を伝える緊急ニュース等にユーザが気付かない場合が考えられる。このような場合には、放送送信側が出力パラメータを変更することで、当該緊急ニュース等をユーザに効率よく伝えることが可能となる。また、放送送信側の意図に基づきユーザに対する表示を制御可能とするだけでなく、規定の出力パラメータを放送で一度に大量に配布することが可能となる。
【０１４５】
また、上記放送デコーダ１０５からの入力に替えて、ネットワークデータデコーダ１０７から出力パラメータを入力可能とすることで同様の効果を有することが可能である。
【０１４６】
また更に、携帯端末１００にメモリカードインターフェイスを設け、当該メモリカードインターフェイスに出力パラメータを記憶しているメモリカード（外部記憶媒体）を接続することで、設定手段１０９が上記メモリカードに格納された出力パラメータを読み出してもよい。当然、上記設定手段１０９が当該メモリカードに書き込みを行ってもよい。
【０１４７】
この構成では、ユーザは気に入った出力パラメータを上記メモリカードに記憶し、他の人に渡すことで出力パラメータの授受・配布が可能となる。
【０１４８】
また更に、例えば上記携帯端末が（ハンディ）スキャナを備え、例えば雑誌や書籍等にバーコードや数値として印刷された出力パラメータを読み出すことにより、設定手段１０９に入力してもよい。
【０１４９】
また更に、光センサーから取得した端末を参照する環境の明暗に関するデータを入力し、当該明暗に関するデータに基づいて設定手段１０９が出力パラメータを決定してもよい。
【０１５０】
例えば屋内にいる場合には、「輝度」パラメータを少し下げても表示内容は比較的認識可能である。しかしながら出力パラメータを下げたまま屋外に出た場合には、表示が暗いため、表示内容を認識するのが困難になる場合があり、昼と夜でも同様である。このような場合には、光センサーから取得した明暗に関するデータに基づいて「輝度」パラメータや「色彩」パラメータを変更することで、自動的にユーザが認識しやすいオーバーレイ出力を行うことが可能になる。尚、上記明暗に関するデータに基づいて出力パラメータを変更するのではなく、設定名称４０７の選択を行うものであってもよい。
【０１５１】
また更に、ＧＰＳ（Ｇｌｏｂａｌ  Ｐｏｓｉｔｉｏｎｉｎｇ  Ｓｙｓｔｅｍ）から取得した端末の位置データを入力し、該位置データに基づいて出力パラメータの設定を変更し、または設定名称４０７を選択するものでもよい。
【０１５２】
上記ＧＰＳを用いた利用方法として以下のようなものが考えられる。即ち、例えばデジタル放送にて所定の地域の位置データ（範囲）及び当該地域特有の情報が送信されることが考えられる。このような場合に、設定手段１０９は、例えばＧＰＳから受信した位置データと、上記所定の地域の位置データとを比較し、所定の地域の位置データ内にユーザが居ると判断した場合には地域特有の情報の「輝度」パラメータや「色彩」パラメータを変更し、当該地域特有の情報が際立つように表示する。
【０１５３】
以上により、携帯端末１００は、位置データに基づいてオーバーレイ出力を変更することが可能となる。
【０１５４】
また更に、例えば車載型携帯端末の場合、速度センサーより取得した速度データ（速度情報）を携帯端末１００に入力し、該速度データに基づいて出力パラメータの設定を変更し、または設定名称４０７を選択するものでもよい。
【０１５５】
上記速度センサーを用いた利用方法として以下のようなものが考えられる。即ち、例えば音声データの音量は一定とし、移動速度が高速になるにつれて表示部における映像データや文字データの表示をフェードアウトさせることで、危険なわき見運転を防ぐという利用ができる。
【０１５６】
また、上記ＧＰＳから得られる位置情報から、単位時間あたりの移動量、即ち速度を割り出すようにしてもよい。
【０１５７】
なお、本発明の実施の例では移動可能な携帯端末を参照しているが、移動環境に適用できるばかりでなく、固定環境で使用する端末にも適用可能である。
【０１５８】
【発明の効果】
ユーザは、映像データ、音声データ、放送データ（文字データ）及びネットワークデータのオーバーレイ配分を好みに応じて任意に設定することができ、特定の映像データの輝度を変化させること等ができるので、ユーザの嗜好、即ち視聴の優先順位に沿った映像データと文字情報のオーバーレイ表示が可能となる。
【０１５９】
また、一方の再生データの出力の増加（変更）に対し、他方の再生データの出力を減少（変更）させた場合、例えば２種類のコンテンツを再生しているとすると、主に見たいコンテンツの出力の増加に応じて、他のコンテンツ（主には見る必要がないコンテンツ）の出力を自動的に下げることができる。
【０１６０】
さらに、一方の再生データの出力の増加（変更）に対し、他方の再生データの出力も増加（変更）させた場合、例えば１つのコンテンツの映像データの出力を増加させた際には同一コンテンツの再生データである音声データの出力を増加させるといったことが可能となる。
【０１６１】
これにより、オーバーレイ出力変更のための効率のよい操作を提供することが可能となる。
【０１６２】
また、再生データがプル型コンテンツを構成する場合には、設定手段は、コンテンツの取得中には該コンテンツを構成する再生データの出力を減少させるよう出力パラメータを変更することで、ユーザの、プル型コンテンツの取得に必要な待ち時間への不快感を軽減することが可能になる。
【０１６３】
さらに、プル型コンテンツの受信状況に応じて、該コンテンツを構成する再生データの出力を増加させるよう出力パラメータを変更することで、出力を利用してコンテンツの受信状況をユーザに通知することが可能となる。
【０１６４】
また、パラメータ記憶手段に予め各状況に適した出力パラメータを格納し、ユーザが出力パラメータを呼び出すことを可能とすることで、ユーザは再生データに対して、容易に且つ適切な出力パラメータを設定することが出来る。
【０１６５】
またさらに、設定手段は、放送データデコーダから得られる情報に基づいて出力パラメータを設定したり、ネットワークデータデコーダから得られる情報に基づいて出力パラメータを設定することで、放送送信側の意図に基づきユーザの表示を制御可能とするだけでなく、規定の出力パラメータを放送で一度に大量に配布することが可能となる。
【図面の簡単な説明】
【図１】本実施の形態における携帯端末の概略機能ブロック図。
【図２】本発明に係る携帯端末の処理を示すフローチャート。
【図３】出力パラメータ及び出力パラメータの格納イメージを示す図。
【図４】規定の出力パラメータの設定例。
【図５】オーバーレイ表示を説明するイメージ図。
【図６】ホームページデータ及び電子メールデータの一例。
【図７】ホームページとＴＶ映像との出力の関係を表した第１の図。
【図８】ホームページとＴＶ映像との出力の関係を表した第２の図。
【図９】実施の形態４における携帯端末の概略機能ブロックの一部を示す図。
【図１０】プル型コンテンツ受信における処理のフローチャート。
【図１１】ホームページとＴＶ映像との出力の関係を表した第３の図。
【図１２】実施の形態５における携帯端末の概略機能ブロックの一部を示す図。
【図１３】時刻に応じた出力パラメータ変更時の処理のフローチャート。
【符号の説明】
１００  携帯端末
１０１  デジタル放送チューナー
１０２  ＴＳデコーダ
１０３  音声デコーダ
１０４  映像デコーダ
１０５  放送データデコーダ
１０６  送受信手段
１０７  ネットワークデータデコーダ
１０８  データ出力制御手段
１０９  設定手段
１１０  パラメータ記憶手段
１１１  スピーカ
１１２  表示部
【図１】
0003755817.tif 000002
【図２】
0003755817.tif 000003
【図３】
0003755817.tif 000004
【図４】
0003755817.tif 000005
【図５】
0003755817.tif 000006
【図６】
0003755817.tif 000007
【図７】
0003755817.tif 000008
【図８】
0003755817.tif 000009
【図９】
0003755817.tif 000010
【図１０】
0003755817.tif 000011
【図１１】
0003755817.tif 000012
【図１２】
0003755817.tif 000013
【図１３】
0003755817.tif 000014